(57)【要約】【課題】貨幣の入金及び釣銭としての貨幣の出金を円滑に行うことができ、設置位置の自由度を高めることができる貨幣処理装置を提供すること。【解決手段】釣銭機２００は、操作者から見て左側に配置された紙幣投入出部２２０と、右側に配置された紙幣投入出部２２２を有する。紙幣投入出部２２０及び紙幣投入出部２２２は、いずれも紙幣の投入と投出の双方が可能であり、操作者が釣銭機２００に対して左側から操作する場合と、操作者が釣銭機２００に対して右側から操作する場合とで紙幣投入出部２２０及び紙幣投入出部２２２の動作を異ならせるよう設定する。釣銭機２００に向かって左側から操作する場合には、左側の紙幣投入出部２２０を紙幣の投入に、右側の紙幣投入出部２２２を紙幣の投出に用いる。右側の位置から操作する場合には、右側の紙幣投入出部２２２を紙幣の投入に、左側の紙幣投入出部２２０を紙幣の投出に用いる。【選択図】図１
2018005294.tif 000002
【特許請求の範囲】
【請求項１】
貨幣を収納する貨幣収納部と、
それぞれ異なる位置に設けられ、貨幣の投入及び貨幣の払い出しを行う複数の貨幣入出金口と、
前記複数の貨幣入出金口のいずれかに投入された貨幣を前記貨幣収納部に収納するとともに、前記貨幣収納部に収納された貨幣を前記複数の貨幣入出金口のいずれかに排出するよう制御する制御部と
を備えたことを特徴とする貨幣処理装置。
【請求項２】
前記貨幣の投入を受け付ける貨幣入出金口及び前記貨幣の払い出しを行う貨幣入出金口を設定する設定部と、
前記設定部により設定された設定情報を記憶する設定情報記憶部と
をさらに備えたことを特徴とする請求項１に記載の貨幣処理装置。
【請求項３】
前記設定部は、
自装置を操作する操作者が特定された場合に、該操作者の特性に応じて前記貨幣の投入を受け付ける貨幣入出金口及び前記貨幣の払い出しを行う貨幣入出金口を自動設定する
ことを特徴とする請求項２に記載の貨幣処理装置。
【請求項４】
前記複数の貨幣入出金口にそれぞれ対応して設けられた複数の表示部と、
前記複数の貨幣入出金口のうち、前記貨幣の投入を受け付ける貨幣入出金口に対応する表示部の表示態様を他の表示部の表示態様と異なるように表示制御する表示制御部と
をさらに備えたことを特徴とする請求項２又は３に記載の貨幣処理装置。
【請求項５】
前記複数の貨幣入出金口のうち、前記設定部により前記貨幣の投入を受け付ける貨幣入出金口及び前記貨幣の払い出しを行う貨幣入出金口として設定されない貨幣入出金口を、貨幣を一時保留する一時保留部とする
ことを特徴とする請求項２、３又は４に記載の貨幣処理装置。
【請求項６】
前記複数の貨幣入出金口のうち、前記設定部により前記貨幣の投入を受け付ける貨幣入出金口及び前記貨幣の払い出しを行う貨幣入出金口として設定されない貨幣入出金口を、前記貨幣収納部に収納された貨幣を精査する場合の精査庫とする
ことを特徴とする請求項２、３又は４に記載の貨幣処理装置。
【請求項７】
前記複数の貨幣入出金口のうち、前記設定部により前記貨幣の投入を受け付ける貨幣入出金口及び前記貨幣の払い出しを行う貨幣入出金口として設定されない貨幣入出金口を、リジェクト対象となる貨幣を収納するリジェクト部とする
ことを特徴とする請求項２、３又は４に記載の貨幣処理装置。
【請求項８】
前記一時保留部、精査庫又はリジェクト部とされた貨幣入出金口に対して、外部からの貨幣の接触を不能とする保護部材が配設されたことを特徴とする請求項５、６又は７に記載の貨幣処理装置。
【発明の詳細な説明】
【技術分野】
【０００１】
この発明は、貨幣を収納する貨幣収納部を有する貨幣処理装置に関する。
【背景技術】
【０００２】
従来、スーパーマーケットや百貨店等の商業施設には、商業施設内の各レジに釣銭機と呼ばれる貨幣処理装置が配設されている。この釣銭機は、ＰＯＳ（Point OF Sales）レジスタと接続され、レジ担当者が顧客から受け渡された貨幣を収納するとともに、顧客に返却する釣銭となる貨幣を払い出す装置である。
【０００３】
例えば、特許文献１には、レジ担当者が顧客から受け取った貨幣を投入する紙幣受入口と、釣銭となる貨幣を出金する紙幣取出口とを筐体の前面に設けた釣銭機が開示されている。このため、顧客がレジで商品の精算処理を行う場合には、レジ担当者は、顧客から商品の代金として受け取った貨幣を紙幣受入口に入金し、釣銭としての貨幣を紙幣取出口から出金して顧客に返却することになる。
【先行技術文献】
【特許文献】
【０００４】
【特許文献１】特開２０１５−９２３２６号公報
【発明の概要】
【発明が解決しようとする課題】
【０００５】
しかしながら、上記の特許文献１に代表される従来の釣銭機は、入金専用の紙幣受入口及び出金専用の紙幣取出口が固定的に筐体の前面に設けられているため、レジ担当者の操作性が低下する場合がある。コンビニエンスストア等の店舗では、レジ内に配設される釣銭機の位置によっては、レジ担当者が紙幣受入口に紙幣を投入し難い状況が生ずるからである。
【０００６】
例えば、釣銭機の筐体の前面の右側に紙幣受入口が設けられており、レジ担当者の立ち位置が釣銭機に対して左側である場合に、レジ担当者は、かなり手を伸ばして紙幣受入口に紙幣を投入しなければならない場合がある。特に、レジ内で釣銭機を配置する位置は、店舗の所在するレイアウトによって決まるため、紙幣受入口及び紙幣取出口が固定的に筐体の前面に配設された釣銭機では、結果的に商品の精算効率の低下を招く可能性がある。
【０００７】
これらのことから、紙幣の入金及び釣銭としての紙幣の出金を円滑に行うことができる釣銭機をいかにして実現するかが重要な課題となっている。かかる課題は、紙幣のみならず硬貨についても同様に生ずる課題である。
【０００８】
本発明は、上記従来技術の課題を解決するためになされたものであって、貨幣の入金及び釣銭としての貨幣の出金を円滑に行うことができ、設置位置の自由度を高めることができる貨幣処理装置を提供することを目的とする。
【課題を解決するための手段】
【０００９】
上述した課題を解決し、目的を達成するため、本発明は、貨幣を収納する貨幣収納部と、それぞれ異なる位置に設けられ、貨幣の投入及び貨幣の払い出しを行う複数の貨幣入出金口と、前記複数の貨幣入出金口のいずれかに投入された貨幣を前記貨幣収納部に収納するとともに、前記貨幣収納部に収納された貨幣を前記複数の貨幣入出金口のいずれかに排出するよう制御する制御部とを備えたことを特徴とする。
【００１０】
また、本発明は、上記の発明において、前記貨幣の投入を受け付ける貨幣入出金口及び前記貨幣の払い出しを行う貨幣入出金口を設定する設定部と、前記設定部により設定された設定情報を記憶する設定情報記憶部とをさらに備えたことを特徴とする。
【００１１】
また、本発明は、上記の発明において、前記設定部は、自装置を操作する操作者が特定された場合に、該操作者の特性に応じて前記貨幣の投入を受け付ける貨幣入出金口及び前記貨幣の払い出しを行う貨幣入出金口を自動設定することを特徴とする。
【００１２】
また、本発明は、上記の発明において、前記複数の貨幣入出金口にそれぞれ対応して設けられた複数の表示部と、前記複数の貨幣入出金口のうち、前記貨幣の投入を受け付ける貨幣入出金口に対応する表示部の表示態様を他の表示部の表示態様と異なるように表示制御する表示制御部とをさらに備えたことを特徴とする。
【００１３】
また、本発明は、上記の発明において、前記複数の貨幣入出金口のうち、前記設定部により前記貨幣の投入を受け付ける貨幣入出金口及び前記貨幣の払い出しを行う貨幣入出金口として設定されない貨幣入出金口を、貨幣を一時保留する一時保留部とすることを特徴とする。
【００１４】
また、本発明は、上記の発明において、前記複数の貨幣入出金口のうち、前記設定部により前記貨幣の投入を受け付ける貨幣入出金口及び前記貨幣の払い出しを行う貨幣入出金口として設定されない貨幣入出金口を、前記貨幣収納部に収納された貨幣を精査する場合の精査庫とすることを特徴とする。
【００１５】
また、本発明は、上記の発明において、前記複数の貨幣入出金口のうち、前記設定部により前記貨幣の投入を受け付ける貨幣入出金口及び前記貨幣の払い出しを行う貨幣入出金口として設定されない貨幣入出金口を、リジェクト対象となる貨幣を収納するリジェクト部とすることを特徴とする。
【００１６】
また、本発明は、上記の発明において、前記一時保留部、精査庫又はリジェクト部とされた貨幣入出金口に対して、外部からの貨幣の接触を不能とする保護部材が配設されたことを特徴とする。
【発明の効果】
【００１７】
本発明によれば、貨幣の入金及び釣銭としての貨幣の出金を円滑に行うことができ、設置位置の自由度を高めることができる。
【図面の簡単な説明】
【００１８】
【図１】図１は、本実施例１に係る貨幣処理装置の概念の説明図である。
【図２】図２は、釣銭機及びＰＯＳレジスタの外観を示す斜視図である。
【図３】図３は、釣銭機における紙幣処理ユニットの内部構成を示す図である。
【図４】図４は、釣銭機における硬貨処理ユニットの内部構成を示す図である。
【図５】図５は、釣銭機及びＰＯＳレジスタの機能ブロック図である。
【図６】図６は、紙幣投入出部の動作の設定の説明図である。
【図７】図７は、搬送設定部の処理手順を示すフローチャートである。
【図８】図８は、紙幣投入出部を投入出と一時保留に用いる構成の説明図である。
【図９】。図９は、本実施例２における紙幣投入出部の動作の設定の説明図である。
【図１０】図１０は、本実施例２における搬送設定部の処理手順を示すフローチャートである。
【図１１】図１１は、複数のレジを用いる変形例の説明図である。
【図１２】図１２は、顧客用の紙幣投入出部を設ける変形例の説明図である。
【発明を実施するための形態】
【００１９】
以下、添付図面を参照して、本発明に係る貨幣処理装置の好適な実施例を詳細に説明する。
【実施例１】
【００２０】
＜貨幣処理装置の概念＞
まず、本実施例１に係る貨幣処理装置の概念について説明する。図１は、本実施例１に係る貨幣処理装置の概念の説明図である。図１に示した釣銭機２００は、コンビニエンスストア等の商業施設の店舗において、商品棚が設置されるフロント領域のレジに設置され、商品と引き換えに顧客からレジ担当者に手渡された貨幣の入金処理を行うとともに、釣銭としての貨幣の出金処理を行う貨幣処理装置である。
【００２１】
釣銭機２００は、紙幣の投入と投出が可能な２つの紙幣投入出部２２０、２２２を備えている。紙幣投入出部２２０はレジ担当者などの操作者から見て左側に配置され、紙幣投入出部２２２は操作者から見て右側に配置されている。
【００２２】
紙幣投入出部２２０及び紙幣投入出部２２２は、紙幣の投入及び紙幣の払い出しを行う入出金口をそれぞれ有し、紙幣投入出部２２０及び紙幣投入出部２２２はいずれも紙幣の投入と投出の双方が可能である。ここで、釣銭機２００は、操作者が釣銭機２００に対して左側から操作する場合と、操作者が釣銭機２００に対して右側から操作する場合とで紙幣投入出部２２０及び紙幣投入出部２２２の動作を異ならせるよう設定することができる。
【００２３】
具体的には、釣銭機２００に向かって左側の位置から操作者Ａが操作する場合には、左側の紙幣投入出部２２０を紙幣の投入に用い、右側の紙幣投入出部２２２を紙幣の投出に用いる。一方、釣銭機２００に向かって右側の位置から操作者Ｂが操作する場合には、右側の紙幣投入出部２２２を紙幣の投入に用い、左側の紙幣投入出部２２０を紙幣の投出に用いる。
【００２４】
かかる動作の変更により、操作者に近い側に所在する入出金口を紙幣の投入に用いることができ、左右どちらから操作する場合にも操作性の低下が生じない。また、操作者の特性、例えば、利き手により動作を変更してもよい。具体的には、右利きの操作者は、左側の紙幣投入出部２２０を紙幣の投入に用い、左利きの操作者は、右側の紙幣投入出部２２２を紙幣の投入に用いることで、操作者の利き手に合わせて良好な操作性を確保することができる。紙幣投入出部２２０、２２２の動作の設定と変更は、操作者の入力に応じて行ってもよいし、操作者の識別情報等を読み取って行ってもよい。
【００２５】
このように、本実施例１に係る貨幣処理装置である釣銭機２００は、それぞれ異なる位置に設けられ、紙幣の投入及び紙幣の払い出しを行う複数の入出金口を有し、複数の入出金口のいずれかに投入された貨幣を貨幣収納部に収納するとともに、貨幣収納部に収納された貨幣を複数の貨幣入出金口のいずれかに排出するよう制御するので、紙幣の入金及び釣銭としての紙幣の出金を円滑に行うことができる。また、各紙幣投入出部の動作に係る設定を変更可能としたので、設置位置の自由度を高めることができる。
＜釣銭機２００の構成＞
次に、釣銭機２００の詳細な構成について図２〜図５を用いて説明する。図２等に示すように、本実施例１による釣銭機２００は、硬貨処理ユニット２５０と、硬貨処理ユニット２５０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、ＰＯＳレジスタ２９０は、釣銭機２００の管理を行う管理装置として用いられる。
【００２６】
まず、紙幣処理ユニット２１０の構成について図２及び図３を用いて具体的に説明する。図２及び図３に示すように、紙幣処理ユニット２１０は、略直方体形状の筐体２１２を有し、筐体２１２の前面に紙幣投入出部２２０、カセット装着部２２６、出金リジェクト部２２４、紙幣投入出部２２２が配置されている。
【００２７】
紙幣投入出部２２０は、筐体２１２の前面を操作者から見て左側となるように配置され、紙幣の投入と投出が可能なユニットである。紙幣投入出部２２２は、筐体２１２の前面を操作者から見て右側となるように配置され、紙幣の投入と投出が可能なユニットである。
【００２８】
カセット装着部２２６及び出金リジェクト部２２４は、紙幣投入出部２２０と紙幣投入出部２２２の間に配置される。カセット装着部２２６は、売上金の回収や釣銭の補充に用いる収納カセットを着脱可能である。出金リジェクト部２２４は、金種が識別できない等、出金に適さない紙幣を内部に集積する。
【００２９】
また、紙幣処理ユニット２１０は、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備える。なお、図３において、筐体２１２の下側の側面が紙幣処理ユニット２１０の手前側の面であり、図３における上向きの方向が紙幣処理ユニット２１０の奥行き方向である。
【００３０】
図３に示すように、搬送部２３０は、筐体２１２の中央位置に配置された周回搬送部２３０ａ及び複数の接続搬送部２３０ｂから構成されている。また、紙幣投入出部２２０、２２２、出金リジェクト部２２４、収納カセット３００を着脱自在に装着可能なカセット装着部２２６及び３つの紙幣収納部２３４、２３６、２３８が、それぞれ周回搬送部２３０ａを取り囲むよう配置されている。
【００３１】
また、図３に示すように、複数の接続搬送部２３０ｂの各々により、紙幣投入出部２２０、２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００３２】
周回搬送部２３０ａは、図３における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００３３】
図２及び図３に示すように、筐体２１２の前面には、紙幣投入出部２２０、２２２の入出金口がそれぞれ設けられている。そして、紙幣投入出部２２０、２２２の入出金口の近傍にはそれぞれＬＥＤ（light emitting diode）２２０ｂ、２２２ｂが設けられている。このＬＥＤ２２０ｂ、２２２ｂは、投入用に設定されている場合に点灯するなど、操作者による操作の補助に用いられる。
【００３４】
また、カセット装着部２２６の前面側には扉が設けられており、この扉を開くことにより収納カセット３００をカセット装着部２２６に装着させたり、このカセット装着部２２６から収納カセット３００を取り出したりすることができる。
【００３５】
紙幣投入出部２２０、２２２には紙幣繰出機構２２１が設けられており、入出金口に１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００３６】
また、紙幣投入出部２２０、２２２は、各紙幣収納部２３４、２３６、２３８から周回搬送部２３０ａに繰り出された紙幣を入出金口により筐体２１２の外部へ放出するよう構成されている。
【００３７】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣投入出部２２０、２２２から筐体２１２の内部に取り込まれた紙幣のうち、入金処理時において汚損等により識別部２３２で識別することができない紙幣は、入金リジェクト紙幣として紙幣投入出部２２０、２２２に返却される。
【００３８】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００３９】
次に、硬貨処理ユニット２５０の構成について説明する。図２及び図４に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００４０】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図５参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図４に示すように、硬貨受入部２５２には、当該硬貨受入部２５２により筐体２５１の内部に繰り出された硬貨を搬送する入金搬送部２５４が接続されている。
【００４１】
図４に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００４２】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図４における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００４３】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
＜ＰＯＳレジスタの構成＞
次に、ＰＯＳレジスタ２９０の構成について具体的に説明する。図２及び図５に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【００４４】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【００４５】
また、ＰＯＳレジスタ２９０には、カードリーダ２９６及び印字部２９７が設けられている（図５参照、図２では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
＜釣銭機２００の制御系の構成＞
次に、釣銭機２００の制御系の構成について図５を用いて説明する。図５に示すように、硬貨処理ユニット２５０は、上位制御部２０２及び硬貨制御部２５０ａを有しており、これらの上位制御部２０２及び硬貨制御部２５０ａは互いに接続されている。
【００４６】
また、紙幣処理ユニット２１０は紙幣制御部２１０ａを有しており、この紙幣制御部２１０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【００４７】
図５に示すように、硬貨処理ユニット２５０の上位制御部２０２には、紙幣処理ユニット２１０及びＰＯＳレジスタ２９０の各々と通信を行うための通信部２０３、操作表示部２０４、搬送設定部２０５、搬送制御部２０６及び記憶部２０８がそれぞれ接続されている。
【００４８】
この上位制御部２０２は、通信部２０３により、紙幣処理ユニット２１０の紙幣制御部２１０ａ及びＰＯＳレジスタ２９０のＰＯＳ制御部２９１に対して信号の送受信を行う。
【００４９】
操作表示部２０４は、硬貨処理ユニット２５０の筐体２５１の上面に設けられたタッチパネル等からなり、操作者が操作するための操作画面や、紙幣処理ユニット２１０及び硬貨処理ユニット２５０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【００５０】
搬送設定部２０５は、紙幣投入出部２２０及び紙幣投入出部２２２の動作を設定する処理を行う。紙幣投入出部２２０及び紙幣投入出部２２２の動作の組合せは、記憶部２０８に搬送パターン２０８ａとして記憶されており、搬送設定部２０５は、搬送パターン２０８ａから動作の組合せを選択することで、紙幣投入出部２２０及び紙幣投入出部２２２の動作を設定する。搬送設定部２０５による設定の結果は、搬送設定データ２０８ｂとして記憶部２０８に記憶される。
【００５１】
搬送制御部２０６は、搬送設定データ２０８ｂに従って紙幣の搬送を制御する処理部である。具体的には、紙幣投入出部２２０と紙幣投入出部２２２のうち、投入用に設定された紙幣投入出部から紙幣を繰り出して紙幣収納部２３４、２３６、２３８などに搬送する。また、釣銭を出金する場合には、紙幣収納部２３４、２３６、２３８から繰り出した紙幣を、紙幣投入出部２２０と紙幣投入出部２２２のうち、投出用に設定された紙幣投入出部に搬送する。
【００５２】
また、搬送制御部２０６は、ＬＥＤ２２０ｂとＬＥＤ２２２ｂの点灯制御を行う。具体的には、搬送制御部２０６は、投入用に設定されている紙幣投入出部に設けられたＬＥＤを点灯する。なお、出金時には、投入用に設定されている紙幣投入出部に設けられたＬＥＤを消灯し、投出用に設定されている紙幣投入出部に設けられたＬＥＤを点灯してもよい。
【００５３】
記憶部２０８には、紙幣処理ユニット２１０及び硬貨処理ユニット２５０の各々に収納されている貨幣の在高に係る情報や、釣銭機２００における貨幣の処理履歴等の様々な情報が記憶される。さらに、記憶部２０８は、搬送パターン２０８ａ及び搬送設定データ２０８ｂを記憶する。
【００５４】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６等が接続されており、識別部２３２による紙幣の識別情報などが紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【００５５】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【００５６】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【００５７】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【００５８】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【００５９】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０の内部に収納されている硬貨や紙幣の在高等の様々な情報が記憶される。
＜紙幣投入出部の動作の設定＞
次に、紙幣投入出部の動作の設定について説明する。図６は、紙幣投入出部の動作の設定の説明図である。図６（ａ）に示すように、搬送パターン２０８ａには、紙幣投入出部２２０及び紙幣投入出部２２２の動作の組合せパターンが選択可能な設定として格納されている。
【００６０】
具体的には、パターンＰ１は、操作者から見て左側の紙幣投入出部２２０を紙幣の投入に用い、操作者から見て右側の紙幣投入出部２２２を紙幣の投出に用いる設定である。この設定は、操作者などの入力により初期設定として用いることができる他、後述するレジ担当変動が許可されており、レジ担当の操作者が右利きであることを示す情報が得られた場合に適用される。また、後述する入金変動が許可されており、左側の紙幣投入出部２２０への紙幣の投入を検知した場合にも適用される。
【００６１】
パターンＰ２は、左側の紙幣投入出部２２０を紙幣の投出に用い、右側の紙幣投入出部２２２を紙幣の投入に用いる設定である。この設定は、操作者などの入力により初期設定として用いることができる他、後述するレジ担当変動が許可されており、レジ担当の操作者が左利きであることを示す情報が得られた場合に適用される。また、後述する入金変動が許可されており、右側の紙幣投入出部２２２への紙幣の投入を検知した場合にも適用される。
【００６２】
図６（ｂ）に示すように、搬送設定データ２０８ｂは、初期設定、レジ担当変動、入金変動の項目を有する。初期設定は、搬送パターン２０８ａから選択されたいずれかのパターンであり、図６（ｂ）ではパターンＰ１が選択された状態を示している。
【００６３】
レジ担当変動は、レジ担当の操作者の特性に基づく設定の変更を許可するか否かを示す。レジ担当の操作者の特性は、例えば、ＰＯＳレジスタ２９０がカードリーダ２９６によりレジ担当者のＩＤカードから読み取ることで取得すればよい。このとき、ＩＤカードに利き手などの特性を示す情報を書き込んでおいてもよいし、ＰＯＳレジスタ２９０又は釣銭機２００がレジ担当者の識別情報と利き手などの特性を対応付けたテーブルを保持してもよい。
【００６４】
レジ担当変動による設定の変更は、初期設定よりも優先される。従って、図６（ｂ）に示すようにレジ担当変動が「許可」に設定された場合には、操作者の情報が右利きであることを示したならば、初期設定に関わらずパターンＰ１が選択されることになる。同じく、操作者の情報が左利きであることを示したならば、初期設定に関わらずパターンＰ２が選択される。
【００６５】
入金変動が「許可」であれば、紙幣投入出部２２０と紙幣投入出部２２２のうち、紙幣が投入された側を投入用に設定し、他方を投出用に設定することができる。入金変動による設定の変更は、初期設定及びレジ担当変動よりも優先される。また、入金変動による設定の変更は、１つの取引に対して有効であり、必要に応じて釣銭を出金し、１つの取引が完了した場合に入金変動による設定の変更は解除される。
＜紙幣投入出部の動作の設定処理＞
次に、搬送設定部２０５の処理手順について説明する。図７は、搬送設定部２０５の処理手順を示すフローチャートである。まず、搬送設定部２０５は、搬送設定データ２０８ｂを読み出し、初期設定として選択されたパターンを適用し、紙幣投入出部２２０、２２２の動作を設定する（ステップＳ１０１）。
【００６６】
次に、搬送設定部２０５は、搬送設定データ２０８ｂにおいてレジ担当変動が許可されているか否かを判定する（ステップＳ１０２）。レジ担当変動が許可されているならば（ステップＳ１０２；Ｙｅｓ）、搬送設定部２０５は、レジ担当の操作者の特性をレジ担当情報として取得したか否かを判定する（ステップＳ１０３）。
【００６７】
レジ担当情報を取得したならば（ステップＳ１０３；Ｙｅｓ）、搬送設定部２０５は、レジ担当情報に示された利き手などの特性に合わせて紙幣投入出部２２０、２２２の動作を変更することで、レジ担当情報を反映する（ステップＳ１０４）。
【００６８】
ステップＳ１０４の後、レジ担当変動が禁止されている場合（ステップＳ１０２；Ｎｏ）、若しくはレジ担当情報を取得していない場合（ステップＳ１０３；Ｎｏ）、搬送設定部２０５は、搬送設定データ２０８ｂにおいて入金変動が許可されているか否かを判定する（ステップＳ１０５）。
【００６９】
入金変動が許可されているならば（ステップＳ１０５；Ｙｅｓ）、搬送設定部２０５は、紙幣投入出部２２０又は紙幣投入出部２２２で入金を検知したか否かを判定する（ステップＳ１０６）。入金を検知したならば（ステップＳ１０６；Ｙｅｓ）、搬送設定部２０５は、入金を検知した紙幣投入出部を投入用に設定し、他方の紙幣投入出部を投出用に設定する（ステップＳ１０７）。
【００７０】
ステップＳ１０７の後、入金変動が禁止されている場合（ステップＳ１０５；Ｎｏ）、若しくは入金を検知していない場合（ステップＳ１０６；Ｎｏ）、搬送設定部２０５は、紙幣投入出部の動作の設定に係る処理を終了する。
【００７１】
上述してきたように、本実施例１に係る貨幣処理装置である釣銭機２００は、それぞれ異なる位置に設けられ、紙幣の投入及び紙幣の払い出しを行う複数の入出金口を有し、複数の入出金口のいずれかに投入された紙幣を紙幣収納部２３４、２３６、２３８に収納するとともに、紙幣収納部に収納された紙幣を複数の入出金口のいずれかに排出するよう制御するので、紙幣の入金及び釣銭としての紙幣の出金を円滑に行うことができる。また、各紙幣投入出部２２０、２２２の動作に係る設定を変更可能としたので、設置位置の自由度を高めることができる。
【００７２】
また、釣銭機２００は、自装置を操作する操作者が特定された場合に、該操作者の特性に応じて紙幣の投入を受け付ける入出金口及び入出金口を自動設定するので、設定に要する労力を低減し、利便性の向上を実現できる。
【００７３】
また、複数の入出金口のうち、紙幣の投入を受け付ける入出金口に対応するＬＥＤを点灯制御することで、操作者は操作を円滑且つ正確に行うことができる。
【００７４】
なお、本実施例１では、紙幣投入出部２２０と紙幣投入出部２２２の一方を投入用に設定し、他方を投出用に設定する場合について説明を行ったが、紙幣の投入と投出を同一の紙幣投入出部で行うよう設定し、他方については使用を禁止する設定としてもよい。
【００７５】
また、本実施例１では、操作者の特定にＰＯＳレジスタ２９０のカードリーダ２９６を用いる構成を示したが、釣銭機２００にカードリーダを設けて操作者を特定してもよい。また、操作者がＰＯＳレジスタ２９０又は釣銭機２００に自身の特性を入力することとしてもよい。
【実施例２】
【００７６】
＜紙幣投入出部を一時保留に用いる構成＞
実施例１では、紙幣投入出部２２０と紙幣投入出部２２２の一方を投入用に設定し、他方を投出用に設定する構成を示したが、紙幣投入出部２２０と紙幣投入出部２２２の一方を投入及び投出に用い、他方を紙幣の一時保留に用いることもできる。本実施例２では、紙幣投入出部を投入出と一時保留に用いる構成について説明する。
【００７７】
図８は、紙幣投入出部２２０、２２２を紙幣投入出部を投入出と一時保留に用いる構成の説明図である。釣銭機２００の紙幣投入出部２２０、２２２は、紙幣の投入と投出の双方が可能であるが、その一方については、紙幣の投入も投出も行わないよう設定することができる。紙幣の投入も投出も行わない紙幣投入出部は、搬送された紙幣を装置外部に投出する代わりに内部で収納し、必要に応じて再度取り込む一時保留部として用いられる。一時保留部として用いる紙幣投入出部については、カバー２２３により入出金口を塞ぎ、操作者による誤操作を防止する。
【００７８】
図８（ａ）では、操作者から見て左側の紙幣投入出部２２０を紙幣の投入出に用い、右側の紙幣投入出部２２２にカバー２２３を装着して紙幣の一時保留に用いている。一方、図８（ｂ）では、右側の紙幣投入出部２２２を紙幣の投入出に用い、左側の紙幣投入出部２２０にカバー２２３を装着して紙幣の一時保留に用いている。
【００７９】
例えば、操作者から見て釣銭機２００の右側に壁が接している場合には、図８（ａ）のように左側の紙幣投入出部２２０を紙幣の投入出に用いた方が操作性は良好となり、操作者から見て釣銭機２００の左側に壁が接している場合には、図８（ｂ）のように右側の紙幣投入出部２２２を紙幣の投入出に用いた方が操作性は良好となる。
【００８０】
このように、本実施例２に係る貨幣処理装置である釣銭機２００は、紙幣投入出部２２０と紙幣投入出部２２２を投入出の一時保留のいずれに用いるかを適宜設定することができる。このため、レジ内で釣銭機を配置する位置に合わせて操作性が良好となるよう投入出部を設けることができ、配置の自由度を向上することができる。
【００８１】
また、紙幣投入出部２２０と紙幣投入出部２２２の一方を一時保留部として用いることで、釣銭の出金までに要する時間を短縮できる。入金された紙幣を全て一時保留部に搬送して収納し、釣銭の出金を行ってから一時保留部内の紙幣を金種別に収納すればよいためである。
＜実施例２における紙幣投入出部の動作の設定＞
次に、本実施例２における紙幣投入出部の動作の設定について説明する。図９は、本実施例２における紙幣投入出部の動作の設定の説明図である。図９（ａ）に示すように、搬送パターン２０８ａには、紙幣投入出部２２０及び紙幣投入出部２２２の動作の組合せパターンが選択可能な設定として格納されている。
【００８２】
具体的には、パターンＰ１は、操作者から見て左側の紙幣投入出部２２０を紙幣の投入出に用い、操作者から見て右側の紙幣投入出部２２２を一時保留に用いる設定である。この設定は、操作者などの入力により初期設定として用いることができる他、後述するカバー検知による変更が許可されており、紙幣投入出部２２２に対するカバー２２３の装着を検知した場合に適用される。
【００８３】
パターンＰ２は、左側の紙幣投入出部２２０を紙幣の一時保留に用い、右側の紙幣投入出部２２２を紙幣の投入出に用いる設定である。この設定は、操作者などの入力により初期設定として用いることができる他、後述するカバー検知による変更が許可されており、紙幣投入出部２２０に対するカバー２２３の装着を検知した場合に適用される。
【００８４】
図９（ｂ）に示すように、搬送設定データ２０８ｂは、初期設定及びカバー検知の項目を有する。初期設定は、搬送パターン２０８ａから選択されたいずれかのパターンであり、図９（ｂ）ではパターンＰ１が選択された状態を示している。
【００８５】
カバー検知は、紙幣投入出部２２０、２２２に対するカバー２２３の装着を検知し、検知結果に基づく設定の変更を許可するか否かを示す。カバー検知が「許可」に設定された場合には、カバー２２３が装着された紙幣投入出部が一時保留部となり、他方の紙幣投入出部が紙幣の投入出に用いられる。
【００８６】
カバー検知による設定の変更は、初期設定よりも優先される。または、カバー検知結果と初期設定とが不整合である場合に操作者に報知を行うこととしてもよい。
＜紙幣投入出部の動作の設定処理＞
次に、搬送設定部２０５の処理手順について説明する。図１０は、本実施例２における搬送設定部２０５の処理手順を示すフローチャートである。まず、搬送設定部２０５は、搬送設定データ２０８ｂを読み出し、初期設定として選択されたパターンを適用し、紙幣投入出部２２０、２２２の動作を設定する（ステップＳ２０１）。
【００８７】
次に、搬送設定部２０５は、搬送設定データ２０８ｂにおいてカバー検知が許可されているか否かを判定する（ステップＳ２０２）。カバー検知が許可されているならば（ステップＳ２０２；Ｙｅｓ）、搬送設定部２０５は、紙幣投入出部２２０又は紙幣投入出部２２２に対するカバー２２３の装着を検知したか否かを判定する（ステップＳ２０３）。
【００８８】
カバー２２３の装着を検知した（ステップＳ２０３；Ｙｅｓ）、搬送設定部２０５は、カバー２２３が装着された紙幣投入出部を一時保留部に設定し、他方の紙幣投入出部を投入出用に設定することで、カバー検知の結果を反映する（ステップＳ２０４）。
【００８９】
ステップＳ２０４の後、カバー検知が禁止されている場合（ステップＳ２０２；Ｎｏ）、若しくはカバー２２３の装着を検知していない場合（ステップＳ２０３；Ｎｏ）、搬送設定部２０５は、紙幣投入出部の動作の設定に係る処理を終了する。
＜複数のレジを用いる変形例＞
次に、複数のレジを用いる変形例について説明する。図１１は、複数のレジを用いる変形例の説明図である。図１１に示すように、釣銭機２００にＰＯＳレジスタ２９０ａとＰＯＳレジスタ２９０ｂを接続すれば、釣銭機２００をＰＯＳレジスタ２９０ａとＰＯＳレジスタ２９０ｂで共用することができる。
【００９０】
この場合には、操作者から見て左側の紙幣投入出部２２０は、操作者から見て左側のＰＯＳレジスタ２９０ａを用いて行われた取引の紙幣の投入出に用いられる。そして、操作者から見て右側の紙幣投入出部２２２は、操作者から見て右側のＰＯＳレジスタ２９０ｂを用いて行われた取引の紙幣の投入出に用いられる。
【００９１】
ただし、釣銭機２００は、ＰＯＳレジスタ２９０ａの取引とＰＯＳレジスタ２９０ｂの取引を同時に処理することはなく、いずれかのＰＯＳレジスタに係る取引を処理している間は他方のＰＯＳレジスタに係る取引の処理を禁止する。
【００９２】
図１１（ｂ）は、複数のレジを用いる場合における紙幣投入出部の動作の設定の説明図である。図１１（ｂ）に示すように、操作者から見て左側のＰＯＳレジスタ２９０ａの取引を処理中であれば、操作者から見て左側の紙幣投入出部２２０を紙幣の投入出に用い、操作者から見て右側の紙幣投入出部２２２の使用を禁止する。また、操作者から見て右側のＰＯＳレジスタ２９０ｂの取引を処理中であれば、操作者から見て左側の紙幣投入出部２２０の使用を禁止し、操作者から見て右側の紙幣投入出部２２２を紙幣の投入出に用いることになる。
【００９３】
このように、複数のＰＯＳレジスタを釣銭機２００に接続する場合には、使用中のＰＯＳレジスタに近い側の紙幣投入出部を紙幣の投入出に使用させ、他方の紙幣投入出部の使用を禁止することで、釣銭機２００の共用を実現し、操作性を向上することができる。なお、複数のＰＯＳレジスタで釣銭機２００を共用する場合には、売上はＰＯＳレジスタ毎に管理することが望ましい。
＜顧客用の紙幣投入出部を設ける変形例＞
次に、顧客用の紙幣投入出部を設ける変形例について説明する。図１２は、顧客用の紙幣投入出部を設ける変形例の説明図である。図１２に示す構成では、図３に示した紙幣処理ユニット２１０の構成に加え、紙幣投入出部２２５をさらに設けている。紙幣投入出部２２５は、接続搬送部２３０ｂにより周回搬送部２３０ａと接続され、紙幣の投入と投出が可能である。
【００９４】
紙幣投入出部２２５の入出金口は、紙幣投入出部２２０及び紙幣投入出部２２２の入出金口が設けられた面と対向する面に設けられており、顧客による紙幣の投入を受け付け、顧客に対して釣銭としての紙幣を投出する。
【００９５】
さらに、紙幣投入出部２２０、紙幣投入出部２２２、紙幣投入出部２２５は、その動作を投入、投出、投入出などに設定可能であるのに加え、使用禁止に設定することもできる。従って、この紙幣処理ユニット２１０を有する釣銭機２００をレジ担当の操作者のみに使用させる場合には、紙幣投入出部２２５を使用禁止に設定することで、これまでの説明と同様に用いることができる。また、紙幣投入出部２２５を投入出に設定すれば、この紙幣処理ユニット２１０を有する釣銭機２００を顧客による操作が可能なセルフレジ用の釣銭機として使用することができる。
【００９６】
上述してきたように、本実施例２に係る貨幣処理装置である釣銭機２００は、紙幣投入出部２２０と紙幣投入出部２２２の一方を投入出に用い、他方を一時保留部として用いるよう設定することで、配置の自由度を向上することができる。
【００９７】
なお、本実施例２では、紙幣投入出部２２０と紙幣投入出部２２２を投入出と一時保留部に用いる場合を説明したが、一時保留部の代わりに精査庫や出金リジェクト部として用いることもできる。
【００９８】
紙幣投入出部の一方を精査用に設定した場合には、精査の対象となる紙幣収納部から紙幣を繰り出して精査用の紙幣投入出部に搬送し、計数を行った上で紙幣収納部に戻すことで、紙幣収納部内に所在する紙幣の枚数と在高とが一致するかを判定することになる。
【００９９】
紙幣投入出部の一方を出金リジェクト用に設定することとすれば、出金リジェクト部２２４は不要となり、釣銭機２００を小型化することができる。
【０１００】
なお、上述の実施例１及び２では、筐体２１２の前面に紙幣投入出部２２０と紙幣投入出部２２２の２つの紙幣投入出部を設けて動作の設定を行う構成を例に説明を行ったが、３以上の紙幣投入出部を設けてそれぞれの動作を設定するよう構成してもよい。また、動作の設定についても、高額紙幣出金用と低額紙幣出金用など、任意に変更して実施することができる。
【０１０１】
また、上述の実施例１及び２では、各紙幣投入出部に入出金口を１つずつ設ける構成を例示したが、各紙幣投入出部に入金口と出金口をそれぞれ設けてもよい。また、各紙幣投入出部は、紙幣投入ユニットと紙幣出ユニットを組み合わせて構成することとしてもよい。
【０１０２】
また、上述の実施例１及び２では、紙幣を垂直に投入及び投出する構成を例示したが、紙幣を水平に投入及び投出する構成としてもよい。また、複数の紙幣投入出部を上下方向に重ねて配置してもよい。
【０１０３】
また、上述の実施例１及び２では、紙幣を取り扱う場合を例に説明を行ったが、硬貨についても同様に実施することが可能である。
【０１０４】
また、上述の実施例１及び２では、紙幣処理ユニット２１０と硬貨処理ユニット２５０とを水平方向に並べて配置する構成を例示したが、紙幣処理ユニット２１０と硬貨処理ユニット２５０とを垂直方向に重ねて配置する構成としてもよい。さらに、紙幣処理ユニット２１０と硬貨処理ユニット２５０を垂直方向に重ねて配置し、紙幣処理ユニット２１０と硬貨処理ユニット２５０の双方にそれぞれ複数の貨幣投入出部を設け、操作者が釣銭機２００に対して左側から操作する場合と、操作者が釣銭機２００に対して右側から操作する場合と紙幣処理ユニット２１０及び硬貨処理ユニット２５０の貨幣投入出部の動作を異ならせてもよい。
【０１０５】
また、上記の実施例１及び２では、本発明を釣銭機に適用した場合を示したが、本発明はこれに限定されるものではなく、各種の貨幣処理装置に適用することができる。
【産業上の利用可能性】
【０１０６】
本発明の貨幣処理装置は、貨幣の入金及び釣銭としての貨幣の出金を円滑に行こと、設置位置の自由度を高めることに有用である。
【符号の説明】
【０１０７】
２００  釣銭機
２０２  上位制御部
２０３  通信部
２０４  操作表示部
２０５  搬送設定部
２０６  搬送制御部
２０８  記憶部
２０８ａ  搬送パターン
２０８ｂ  搬送設定データ
２１０  紙幣処理ユニット
２１０ａ  紙幣制御部
２１２、２５１  筐体
２２０、２２２、２２５  紙幣投入出部
２２３  カバー
２２１  紙幣繰出機構
２２０ｂ、２２２ｂ  ＬＥＤ
２２４  出金リジェクト部
２２６  カセット装着部
２３０  搬送部
２３０ａ  周回搬送部
２３０ｂ  接続搬送部
２３２  識別部
２３４、２３６、２３８  紙幣収納部
２３５、２３７、２３９  紙幣繰出機構
２４０  通信部
２５０  硬貨処理ユニット
２５０ａ  硬貨制御部
２５２  硬貨受入部
２５３  硬貨繰出機構
２５４  入金搬送部
２５６  識別部
２５８  分岐部
２６０  収納繰出部
２６２  出金搬送部
２６６  硬貨払出部
２９０、２９０ａ、２９０ｂ  ＰＯＳレジスタ
２９１  ＰＯＳ制御部
２９２  通信部
２９３  表示部
２９４  操作部
２９５  記憶部
２９６  カードリーダ
２９７  印字部
３００  収納カセット
【図１】
2018005294.tif 000003
【図２】
2018005294.tif 000004
【図３】
2018005294.tif 000005
【図４】
2018005294.tif 000006
【図５】
2018005294.tif 000007
【図６】
2018005294.tif 000008
【図７】
2018005294.tif 000009
【図８】
2018005294.tif 000010
【図９】
2018005294.tif 000011
【図１０】
2018005294.tif 000012
【図１１】
2018005294.tif 000013
【図１２】
2018005294.tif 000014